(57)【特許請求の範囲】
【請求項１】
商品の値札等の下げ札を被装着物に取り付けるための下げ札装着機であって、
該下げ札装着機は、
後端部から挿入した糸を先端部へ突出させ、前記被装着物に向けて往復運動する糸挿通ガイド用のパイプ部と、
該パイプ部の後端部側で当該パイプ部を保持するパイプホルダと、
前記パイプ部の先端部へ突出させた糸を、先端に備えたキャッチャーアームで掴んで、該掴んだ糸を一旦持ち上げてから引き戻すために設けられたキャッチャー部と、
前記キャッチャーアームで掴んで引き戻した糸に結び目を形成する結び目形成機構と、を少なくとも備え、
前記パイプ部は、長手方向に沿って貫通する貫通穴を有し、
前記キャッチャーアームは、前記後端部から前記貫通穴に挿入され前記先端部から前記貫通穴の外に出た糸を掴むこと
を特徴とする下げ札装着機。
【請求項２】
前記キャッチャーアームは、前記パイプ部の先端部を掴み、その状態で、前記パイプ部が後退することにより、前記パイプ部の先端部から前記貫通穴の外に出た糸を残して、前記パイプ部が前記キャッチャーアームから抜け出し、これにより、前記キャッチャーアームが前記糸を掴む、
請求項１に記載の下げ札装着機。
【請求項３】
前記キャッチャーアームは、隣接するキャッチャーアームスプリングで閉方向に付勢されて前記糸を保持する構成であること
を特徴とする請求項１又は２に記載の下げ札装着機。
【発明の詳細な説明】
【技術分野】
【０００１】
本発明は、商品の値札等の下げ札を取り付けるための下げ札装着機の改良に関するものである。
【背景技術】
【０００２】
従来の下げ札装着機としては、特公平３−４３１３７号公報に記載された下げ札装着機を本願出願人が提案している（特許文献１参照）。
【０００３】
図１１に示すように、この下げ札装着機１は、機枠２に取手３が突設してあり、この取手３の基部側にレバー軸４を中心にして回動自在な駆動レバー５を有し、この駆動レバー５の２回の開閉操作によって駆動部６を介して所定の動作を行う。
【０００４】
また、この下げ札装着機１は、図１１及び図１２に示すように、先端の針穴７に糸Ｔが挿通され被装着物装填部に向けて往復動作する刺し針８と、被装着物Ｖを貫通する刺し針８を覆って所定箇所に装着され当該刺し針８を保護する筒針９と、この筒針９に係合する係合棒体１０とを有しており、筒針９の基部と部分的に交差する位置に回動自在に装着した係止部材１１と、先端に形成した糸掛け鉤１２に刺し針８の先端から横向きに突出した糸を引っ掛けて、この引っ掛けた糸を一旦上方へ持ち上げて引き戻す引掛け部材１３と、糸端を掴んで刺し針８の先端に近接及び離反自在に移動する糸掴み部１４を有する糸掴み機構１５と、刺し針８の往復工程の途中にあって開閉しつつ旋回する嘴を有する結び目形成機構１６と、この結び目形成機構１６に糸を揃えて沿わせる糸寄せ機構１７とを備えている。
【０００５】
機枠２は、所定の間隔を置いて平行に設けた両側板１８、１９と、これらの両側板の前端側に固定した前端板２０とを備えている。
【先行技術文献】
【特許文献】
【０００６】
【特許文献１】特公平３−４３１３７号公報
【発明の概要】
【発明が解決しようとする課題】
【０００７】
この従来例の下げ札装着機１においては、先端の針穴７に糸Ｔが挿通され被装着物装填部に向けて往復動作する刺し針８と、先端に形成した糸掛け鉤１２に刺し針８の先端から横向きに突出した糸を引っ掛けて、この引っ掛けた糸を一旦上方へ持ち上げて引き戻す引掛け部材１３とを備える構成であることから、例えば、金糸や銀糸等の摩擦抵抗の大きい太めの糸は、円滑な挿通や引っ掛けが難しくて使用できないという問題点がある。
【０００８】
従って、従来例における下げ札装着機１においては、金糸や銀糸等の摩擦抵抗の大きい太めの糸を円滑な状態で使用することに解決しなければならない課題を有している。
【課題を解決するための手段】
【０００９】
前記従来例の課題を解決するための本発明の要旨は、商品の値札等の下げ札を被装着物に取り付けるための下げ札装着機であって、該下げ札装着機は、後端部から挿入した糸を先端部へ突出させ、前記被装着物に向けて往復運動する糸挿通ガイド用のパイプ部と、該パイプ部の後端部側で当該パイプ部を保持するパイプホルダと、前記パイプ部の先端部へ突出させた糸を、先端に備えたキャッチャーアームで掴んで、該掴んだ糸を一旦持ち上げてから引き戻すために設けられたキャッチャー部と、前記キャッチャーアームで掴んで引き戻した糸に結び目を形成する結び目形成機構とを少なくとも備えることである。
【００１０】
また、前記キャッチャーアームは、隣接するキャッチャーアームスプリングで閉方向に付勢されて前記糸を保持する構成である。
【発明の効果】
【００１１】
本発明に係る下げ札装着機は、商品の値札等の下げ札を被装着物に取り付けるための下げ札装着機であって、該下げ札装着機は、後端部から挿入した糸を先端部へ突出させ、前記被装着物に向けて往復運動する糸挿通ガイド用のパイプ部と、該パイプ部の後端部側で当該パイプ部を保持するパイプホルダと、前記パイブ部の先端部へ突出させた糸を、先端に備えたキャッチャーアームで掴んで、該掴んだ糸を一旦持ち上げてから引き戻すために設けられたキャッチャー部と、前記キャッチャーアームで掴んで引き戻した糸に結び目を形成する結び目形成機構とを少なくとも備えることによって、金糸や銀糸等の摩擦抵抗力の大きい太めの糸を円滑な状態で挿通して使用できる。更には、従来用いられている糸だけでなく、細めや極細の糸であっても円滑な状態で挿通して使用できるという種々の優れた効果を奏する。
【００１２】
また、前記キャッチャーアームは、隣接するキャッチャーアームスプリングで閉方向に付勢されて前記糸を保持する構成であることによって、金糸や銀糸等の摩擦抵抗力の大きい太めの糸を確実に保持できる。更には、従来用いられている糸だけでなく、細めや極細の糸であっても確実に保持できるという種々の優れた効果を奏する。
【図面の簡単な説明】
【００１３】
【図１】本発明に係る下げ札装着機の機枠の一部を取り外した状態を示す一部省略側面図である。
【図２】本発明に係る下げ札装着機の機枠の一部を取り外した状態を示す一部省略側面図である。
【図３】本発明に係る下げ札装着機の機枠の一部を取り外した状態を示す一部省略側面図である。
【図４】本発明に係る下げ札装着機の機枠の一部を取り外した状態を示す一部省略側面図である。
【図５】本発明に係る下げ札装着機の機枠の一部を取り外した状態を示す一部省略側面図である。
【図６】本発明に係る下げ札装着機の機枠の一部を取り外した状態を示す一部省略側面図である。
【図７】本発明に係る下げ札装着機の機枠の一部を取り外した状態を示す一部省略側面図である。
【図８】本発明に係る下げ札装着機の機枠の一部を取り外した状態を示す一部省略側面図である。
【図９】キャッチャー部のカバーを取り外してキャッチャーアームを示す斜視図である。
【図１０】結び目形成機構の要部を示す正面図である。
【図１１】従来例に係る下げ札装着機の機枠の一部を取り外した状態を示す一部省略側面図である。
【図１２】従来例に係る下げ札装着機の機枠の一部を取り外した状態を示す一部省略平面図である。
【発明を実施するための形態】
【００１４】
次に、本発明の実施の形態について図面を参照しながら詳細に説明する。なお、理解容易のため、従来例に対応する部分には従来例と同一の符号を付けて説明する。
【００１５】
まず、図１において、符号２１は下げ札装着機を示し、この下げ札装着機２１は、後端部２２側から挿入した糸２３を先端部２４へ突出させ、被装着物に向けて往復運動する糸挿通ガイド用のパイプ部２５と、パイプ部２５の後端部２２側で当該パイプ部２５を保持するパイプホルダ２６と、パイプ部２５の先端部２４へ突出させた糸２３を、先端に備えたキャッチャーアーム２７で掴んで、該掴んだ糸を一旦持ち上げてから引き戻すために設けられたキャッチャー部２８と、キャッチャーアーム２７で掴んで引き戻した糸に結び目を形成する結び目形成機構１６（図７及び図８参照）とから構成される。
【００１６】
下げ札装着機２１は、機枠２に取手３が突設してあり、この取手３の基部側にレバー軸４を中心にして回動自在な駆動レバー５を備えており、この駆動レバー５の２回の開閉操作によって駆動部６を介して所定の動作を行う。
なお、図１の駆動部６における、符号６１はキャッチャーカムを示し、符号６２はキャッチャーコネクターを示し、符号６３はキャッチャーリンクを示し、符号６４はキャッチャーコネクターリンクを示す。
【００１７】
パイプ部２５は、所定長さの金属管で形成されており、後端部２２側から挿入した糸２３を挿通させて先端部２４へ突出させる。また、パイプ部２５の後端部２２は、パイプホルダ２６に保持されている。
【００１８】
パイプホルダ２６は、先端２６ａ側でパイプ部２５の後端部２２を保持していると共に、フレーム部３０に保持されている。そして、パイプホルダ２６はその上部に設けたレバー３１を押し下げて、フレーム部３０から取り外すことができる。
また、パイプホルダ２６の後端２６ｂは、ボビン３３から引き出した糸２３を挿入させており、上述のように、当該糸２３をさらにパイプ部２５の後端部２２に挿通させて先端部２４へ突出させる。
【００１９】
フレーム部３０は、フレームガイドシャフト３４に沿って、前後方向に往復運動が可能であり、駆動レバー５の開閉操作によって従来と同様な往復運動機構２９の動作に伴って前後に往復運動する構造である。
【００２０】
キャッチャー部２８は、図９に示すように、基部３５と、この基部３５から延出するＬ字状部３６とを有しており、基部３５の軸部３７を中心にして、前後移動及び回動が可能な構造である。
【００２１】
Ｌ字状部３６には、糸落としスプリング３８と、この糸落としスプリング３８に付勢される糸落とし部材３９とが設けられており、この糸落とし部材３９の上部には、キャッチャーアームスプリング４０と、このキャッチャーアームスプリング４０で閉方向に付勢されるキャッチャーアーム２７が設けられており、当該キャッチャーアーム２７で糸２３を確実にキャッチして保持できる仕組みになっている。
【００２２】
結び目形成機構１６は、図８及び図１０に示すように、ピニオン４２で回転駆動される結び目形成部４３を有し、その回転軸４４の先端に固定された第１嘴４５と、その第１嘴４５の間に挿入されて軸４６をもつて枢着された第２嘴４７とを備えている。
従来と同様に両方の嘴４５、４７を閉じた状態で一定角度回転してその首部４８に糸２３を巻き付け、その後第２嘴４７を開いて糸２３の端部を引くと首部４８に巻かれた糸２３のリングが外れ、銜えられた糸２３の先端がそのリング内に通されて結び目が形成されるとともに両方の嘴４５、４７間で糸２３が切断されるようにしている。
そして、回転軸４４は、駆動レバー５の１回目の閉じる動作時には静止しており、２回目の閉じる動作によって回転軸４４が回転し、これにより１回転だけ回転して上記結び目形成及び糸の切断動作を行うようになっている。
【００２３】
次に、本発明の下げ札装着機２１の動作について説明する。まず、図１は、駆動レバー５を握る前の下げ札装着機２１の一部省略した側面図であり、ボビン３３から引き出した糸２３をパイプホルダ２６の後端２６ｂに挿入させて、さらに当該糸２３をパイプ部２５の後端部２２側に挿通させて先端部２４へ突出させている。
【００２４】
そして、図２に示すように、駆動レバー５を１回握ると、往復運動機構２９の動作によってフレーム部３０がフレームガイドシャフト３４に沿って前方へ移動して、パイプ部２５が前方へ移動すると共に、駆動部６の動作によってキャッチャー部２８が前上方向へ移動して、キャッチャーアーム２７がパイプ部２５の上方に位置する。
【００２５】
図３は、駆動レバー５の２回目を握る前の状態を示し、駆動レバー５が開位置に戻った状態であり、パイプ部２５が前方に位置すると共に、キャッチャー部２８が前上方向に位置して、キャッチャーアーム２７がパイプ部２５の上方に位置している。
【００２６】
次に、駆動レバー５の２回目の閉操作を説明する。図４に示すように、駆動レバー５を５．６°握ると、駆動部６の動作によってキャッチャー部２８が一旦前方へ移動してから、下降して後方へ戻り、キャッチャーアーム２７がパイプ部２５の先端部２４側を挟持した状態に位置する。
【００２７】
続けて図５に示すように、駆動レバー５を１１．４°握ると、往復運動機構２９の動作によってフレーム部３０がフレームガイドシャフト３４に沿って後方へ移動して、パイプ部２５が後方へ移動すると共に、該パイプ部２５の先端部２４へ突出させた糸２３を、キャッチャーアーム２７が掴んだ状態になる。
【００２８】
さらに続けて図６に示すように、駆動レバー５を１４°握ると、往復運動機構２９の動作によってフレーム部３０がフレームガイドシャフト３４に沿ってやや後方へ移動して、パイプ部２５がやや後方へ移動すると共に、駆動部６の動作によってキャッチャーアーム２７で掴んだ糸２３を引き出して一旦持ち上げて、該糸２３を係止部４９に引っ掛ける。
【００２９】
そして続けて図７に示すように、駆動レバー５を２２．２°握ると、往復運動機構２９の動作によってフレーム部３０がフレームガイドシャフト３４に沿ってさらに後方へ移動して、パイプ部２５がさらに後方へ移動すると共に、駆動部６の動作によってキャッチャーアーム２７で掴んだ糸２３を後方へ引き戻して、引き戻部５０を形成する。
【００３０】
続けて図８に示すように、駆動レバー５を２９．４°握って、当該駆動レバー５を握り終えると、往復運動機構２９の動作によってフレーム部３０がフレームガイドシャフト３４に沿ってやや前方へ移動して、パイプ部２５がやや前方へ移動すると共に、キャッチャーアーム２７がやや前方へ移動する。この時に、結び目形成機構１６が作動して、上述した動きによって引き戻した糸２３に結び目を形成して、糸２３の切断動作を行うこととなる。
【００３１】
以上のように構成される下げ札装着機２１は、後端部２２から挿入した糸２３を先端部２４へ突出させ、被装着物に向けて往復運動する糸挿通ガイド用のパイプ部２５と、パイブ部２５の先端部２４へ突出させた糸２３を、先端に備えたキャッチャーアーム２７で掴んで、掴んだ糸２３を一旦持ち上げてから引き戻すために設けられたキャッチャー部２８とを備えることによって、金糸や銀糸等の摩擦抵抗力の大きい太めの糸を円滑な状態で挿通して使用できる。更には、従来用いられている糸だけでなく、細めや極細の糸であっても円滑な状態で挿通して使用できる。
【符号の説明】
【００３２】
Ｔ    糸
Ｖ    被装着物
１    下げ札装着機
２    機枠
３    取手
４    レバー軸
５    駆動レバー
６    駆動部
７    針穴
８    刺し針
９    筒針
１０  係合棒体
１１  係止部材
１２  糸掛け鉤
１３  引掛け部材
１４  糸掴み部
１５  糸掴み機構
１６  結び目形成機構
１７  糸寄せ機構
１８、１９  側板
２０  前端板
２１  下げ札装着機
２２  後端部
２３  糸
２４  先端部
２５  パイプ部
２６  パイプホルダ
２６ａ先端
２６ｂ後端
２７  キャッチャーアーム
２８  キャッチャー部
２９  往復運動機構
３０  フレーム部
３１  レバー
３３  ボビン
３４  フレームガイドシャフト
３５  基部
３６  Ｌ字状部
３７  軸部
３８  糸落としスプリング
３９  糸落とし部材
４０  キャッチャーアームスプリング
４２  ピニオン
４３  結び目形成成部
４４  回転軸
４５  第１嘴
４６  軸
４７  第２嘴
４８  首部
４９  係止部
５０  引き戻部
６１  キャッチャーカム
６２  キャッチャーコネクター
６３  キャッチャーリンク
６４  キャッチャーコネクターリンク
【図１】
0006803151.tif 000002
【図２】
0006803151.tif 000003
【図３】
0006803151.tif 000004
【図４】
0006803151.tif 000005
【図５】
0006803151.tif 000006
【図６】
0006803151.tif 000007
【図７】
0006803151.tif 000008
【図８】
0006803151.tif 000009
【図９】
0006803151.tif 000010
【図１０】
0006803151.tif 000011
【図１１】
0006803151.tif 000012
【図１２】
0006803151.tif 000013